(57)【要約】      （修正有）【課題】フェルト等柔軟な素材によって収納空間部分を有し、異なる意匠面に変更が可能な立体絵を提供する。【解決手段】適度な剛性と柔軟性を合わせ持つ基材の上に接着あるいは縫製の手法によって、意匠面を形成する画素部品を固着した立体絵であって、意匠面を形成する画素部品３と背景２の間、あるいは複数の層より構成される同一画素の階層間に空間部分４を設けることにより任意の物を収納し、意匠面を変化させる。同時に、立体絵上下端部には吊り下げ用の横棒７、７’を貫通させる貫通路孔を形成する。【選択図】図１
0003191563.tif 000002
【実用新案登録請求の範囲】
【請求項１】
強固で且つ柔軟性を有する基材の上に、適宜な方法によって固定されたフェルト等の柔軟な素材によって構成された立体絵において、意匠面を構成する背景と画素の間および該画素が複数の階層よりなる場合に該階層の間に空隙を設けてポケット部を形成し、該ポケット部には別の画素および他物を取付き取外し自在に収納することにより意匠面を変化させることができることを特徴とする立体絵の作成方法。
【請求項２】
前記意匠面上四周に額枠部が固定され、該額枠部と前記基材とを縫製等その他の方法で連結結束した場合、前記立体絵の上下両端部に吊り下げ用の横棒が通る貫通道孔が形成されてなる請求項１記載の立体絵の作成方法。
【考案の詳細な説明】
【考案の詳細な説明】
【技術分野】
【０００１】  本考案は、フェルト等柔軟な素材を適度な剛性と柔軟性を合わせ持つ基材に固定することにより構成される立体絵に関するものである。
【背景技術】
【０００２】  立体絵とは、適宜の基材の上に背景や複数の画素を重ね合わせて固定し、特定の意匠面を構成する目的をもって製作されたものであり、立体感を強調するために芯材や凹凸を加えたりしたもの、また素材としては布、フエルト、和紙等が知られている。【０００３】  従来の立体絵は、表面材の内部に別途立体的に成形した芯材を内装させた画素を複数重ね合わせること等により、特定の意匠面を構成するものがほとんどであり、また意匠面を構成する全ての画素が基材に、あるいは画素相互がしっかりと固定されており、あとから制作者が当初設定した意匠面を一部変更したり、あるいは外部から任意の物を加えて当初の意匠の変更や加筆などの自由性に乏しいという難点があった。
【先行技術文献】
【特許文献】
【０００４】
【特許文献１】特許公開２００２−６７６００号公報
【考案の概要】
【考案が解決しようとする課題】
【０００５】  本考案の目的はこのような従来の立体絵および立体絵の作成方法が有する難点を解消するもので、例えばフエルト等の素材の持つ柔軟性を応用して、特別な芯材等を使用せず、折り返しや撓みを持たせた状態で画素の周囲を固定して、折り返し部や撓み部を収納ポケット部として利用し、当初の意匠面とは異なる意匠面に変更させ得る構成をなしてある立体絵を提供することにある。また従来の立体絵はその多くが壁面に直接ピン等で固定掲示するあるいは額装したまま壁面に固定掲示する等の他、壁面等に掲示固定する方法に有効な提案をしていないので本考案では該立体絵のように柔軟性有する意匠面を掲示するための構成をなしてある立体絵を提供することにある。
【課題を解決するための手段】
【０００６】  請求項１に記載の考案によれば、従来の全ての画素が背景や基材にしっかりと固定されているのではなく、ある画素は背景との間にポケット部を構成させて固定し、また複数の階層からなる画素は階層間にポケット部を構成させて固定し、さらに特定の画素は接着剤や縫製によらず、ピン等により仮留めとして固定しない等の方法によって構成される意匠面を準備することにより課題を解決している。【０００７】  請求項２に記載の考案によれば、請求項１の特徴を有する該立体絵は柔軟性を有する素材で構成されているために、鑑賞するために壁面等に掲げやすくするために該立体絵の上下両端部の各々掲示用横棒を貫通させる貫通路孔を準備することにより、壁面等に展張した状態で展示することにより課題を解決している。
【考案の効果】
【０００８】上述のように本考案の立体絵は、制作者が当初に企画して基材に固定した意匠面を掲示鑑賞するのではなく、仮留め状態にある画素を自由に移動させたり、あるいは当初想定されていない物を別途加えることにより、当初のものとは異なる意匠面を構成できる任意性と自由度をもった立体絵を提供することができる。
【実施例】
【０００９】    以下、添付図面に従って一実施例を説明する。１はフェルトやカンバス地など強固性と柔軟性を合わせ持つ適宜素材にて形成された本体基材であり、その平滑な上面にはフェルト、和紙、絹布等、柔軟性を有する意匠面の一部である背景材２が固着されていて、該背景上には多数の画素３が固定あるいは仮留めされている。背景と画素の間あるいは画素と画素の間には画素の柔軟性による撓みや折り返しによって開口部を形成し、その両側面や底部を固定することにより収納ポケット部４を形成している。【００１０】  ［第２図］によって説明すると、収納ポケット４は上部のものは画素相互間に形成されたもの、および下部のものは背景と画素との間に形成されたものを示している。背景２の上に多数の画素３および複数の階層からなる画素が接着剤や縫製により固定されている。また画素８は、他の画素３とは異なり、隠しピン等で固定された画素の上に仮留め状態で係止されている。【００１１】  ［第１図］によって説明すると、［第２図］において意匠面下部に係止されていた画素８は意匠面上部に形成されてある収納ポケット部にその一部を残して収納されている。
また意匠面下部に形成されている収納ポケット部４には、外部から持ち込まれた水が入った容器が収納され、さらに該容器には同様に外部から持ち込まれた生花が挿入されている。【００１２】    上記の一実施例が示す通り本考案の立体絵においては、背景や画素が変更できない固定された特定の意匠面として掲示されるのみならず、意匠面を構成する画素を任意に移動、組み合わせることが可能であり、さらには当初から想定していない物品を外部から取り込んで新たな意匠効果を補いあるいは付け加えることができるものである。【００１３】  上記の一実施例を［第３図］によって説明すると基材１上に固定された背景２上に取り付けられた画素３はその両端を固定して中間部に収納ポケット部４が形成され、さらに別の画素が収納ポケット部を形成しながらその両端が前画素に固定された構造を該立体絵を横断面化して上部から見た状態を示すものである。【００１４】  同様に上記の一実施例を［第４図］によって説明すると基材１上に固定された背景２上に取り付けられた画素３はその両端を固定して中間部に収納ポケット部４が形成され、さらに別の画素が収納ポケット部を形成しながらその両端および底部が前画素に固定された構造を該立体絵を縦断面化して左側面から見た状態を示すものである。さらに本図では背景２上には額枠部５が取り付けられ、該立体絵の上下端部には基材１と背景２の間に貫通路孔６が形成され、吊り下げ横棒７が貫通している状態を示すものである。
【図面の簡単な説明】
【００１５】
【図１】本考案の立体絵の収納ポケット部を使用している状態を示す正面図である。
【図２】本考案の立体絵の収納ポケット部を使用していない状態を示す正面図である。
【図３】本考案の立体絵の構造を示す横方向の断面図である。
【図４】本考案の立体絵の構造を示す縦方向の断面図である。
【符号の説明】
【００１６】１    基材
２    意匠面を構成する背景
３    上記背景に固定されている画素
４    収納ポケット部
５    額枠部
６、６’  貫通路孔
７、７’  吊り下げ横棒
８    仮留めの画素
９    意匠面以外の取付き物品（本実施例では生花）
１０  意匠面以外の取付き物品（本実施例では水の入った容器）
【図１】
0003191563.tif 000003
【図２】
0003191563.tif 000004
【図３】
0003191563.tif 000005
【図４】
0003191563.tif 000006
【手続補正書】
【提出日】平成26年2月27日(2014.2.27)
【手続補正１】
【補正対象書類名】実用新案登録請求の範囲
【補正対象項目名】請求項１
【補正方法】変更
【補正の内容】
【請求項１】
強靱で且つ柔軟性を有する基材の上に適宜な方法によって固定されたフェルト等の柔軟な素材によって構成された立体絵において意匠面を構成する背景と画素の間および該画素が複数の階層よりなる場合に該階層の間に空隙を設けてポケット部を形成し、該ポケット部には別の画素および叉は他物を取付き取外し自在に収納することにより意匠面を変化させることができることを特徴とする立体絵。
【手続補正２】
【補正対象書類名】実用新案登録請求の範囲
【補正対象項目名】請求項２
【補正方法】変更
【補正の内容】
【請求項２】
前記意匠面上四周に額枠部が固定され、該額枠部と前記基材とを縫製その他の方法で連結結束した場合、前記立体絵の上下両端部に吊り下げ用の横棒が通る貫通路孔が形成されてなる請求項１記載の立体絵。
【手続補正４】
【補正対象書類名】明細書
【補正対象項目名】０００５
【補正方法】変更
【補正の内容】
【０００５】  本考案の目的はこのような従来の立体絵が有する難点を解消するもので、例えばフェルト等の素材の持つ柔軟性を応用して、特別な芯材等を使用せず折り返しや撓み部を収納ポケット部として利用し、当初の意匠面とは異なる意匠面に容易に変更させ得る構成をなしてある立体絵を提供することにある。また従来の立体絵は壁面に直接ピン等で固定掲示するあるいは額装したまま壁面に固定掲示する等の展示方法が一般的であるのに比して本考案では柔軟性を有する意匠面を有する立体絵の上下両端に横棒を貫通させる等の手段により壁面等に垂直に伸長展示するための構成をなしてある立体絵を提供することにある。
【手続補正５】
【補正対象書類名】明細書
【補正対象項目名】０００６
【補正方法】変更
【補正の内容】
【０００６】  請求項１に記載の考案によれば、従来の立体絵の画素が背景や基材にしっかりと固定されているのに比して本考案では、複数の画素からなる意匠面においてある画素は背景との間にポケット部を構成するように固定し、また複数の階層から構成される別の画素では該階層間にポケット部を構成するように固定し、さらに特定の画素は接着剤や縫製によらず面ファスナー等により脱着自在になるように止め置く等の方法によって構成される意匠面を準備することにより課題を解決している。
【手続補正６】
【補正対象書類名】明細書
【補正対象項目名】０００７
【補正方法】変更
【補正の内容】
【０００７】  請求項２に記載の考案によれば、請求項１の特徴を有する本案立体図は柔軟性を有する素材で構成されているため巻物状に巻いて保管する事が多く所謂巻癖が付きやすく鑑賞展示のために壁面に吊り下げた時に巻癖を解消するために該立体絵の上下両端部にには各々掲示用横棒を貫通させる貫通路孔を備えることにより、壁面等に展張した状態で展示しやすくすることで課題を解決している。